(57)【要約】【課題】新規な形状の浴室用の手すりを提供する。【解決手段】手すり２０は、浴室壁部の第１壁部１５ａに設けられる手すりであって、浴槽１０側から洗い場１２側にかけて横向きに延在し、一部の高さが異なるように設けられる。手すり２０は、浴槽１０側に位置する浴槽側手すり部２０ａと、洗い場１２側に位置する洗い場側手すり部２０ｂと、を有する。洗い場１２の底部と浴槽１０の底部の高さに応じて、浴槽側手すり部２０ａおよび洗い場側手すり部２０ｂの高さが異なるように設けられる。【選択図】図２
2020031997.tif 000002
【特許請求の範囲】
【請求項１】
浴室壁部に設けられる手すりであって、
浴槽側から洗い場側にかけて横向きに延在し、一部の高さが異なるように設けられることを特徴とする手すり。
【請求項２】
前記手すりの前記浴槽側に位置する浴槽側手すり部と、
前記手すりの前記洗い場側に位置する洗い場側手すり部と、を有し、
前記洗い場と前記浴槽の底部の高さに応じて、前記浴槽側手すり部および前記洗い場側手すり部の高さが異なることを特徴とする請求項１に記載の手すり。
【請求項３】
前記手すりの前記浴槽側に位置する浴槽側手すり部と、
前記手すりの前記洗い場側に位置する洗い場側手すり部と、
前記浴槽側手すり部および前記洗い場側手すり部を連結する連結部と、を有し、
前記連結部は、前記浴槽側手すり部より高くなるように設けられることを特徴とする請求項１に記載の手すり。
【請求項４】
前記手すりの前記浴槽側に位置する浴槽側手すり部は、前記手すりの他の部分より低いことを特徴とする請求項１に記載の手すり。
【請求項５】
前記洗い場側に位置する洗い場側手すり部において、前記浴槽から遠い位置にある端部の高さが他の前記洗い場側手すり部に対して異なることを特徴とする請求項１に記載の手すり。
【請求項６】
浴室壁部に設けられる手すりを備え、
前記手すりは、浴槽側から洗い場側にかけて横向きに延在し、一部の高さが異なるように設けられることを特徴とする浴室ユニット。
【発明の詳細な説明】
【技術分野】
【０００１】
本発明は、浴室壁部に設けられる手すり、およびその手すりを備える浴室ユニットに関する。
【背景技術】
【０００２】
特許文献１には、洗い場と、洗い場に隣接する浴槽と、洗い場および浴槽を囲む外周縁から立設する壁部を備える浴室ユニットが開示されている。この浴室ユニットは、洗い場と浴槽に跨って設置された壁パネルに設けられる手すりをさらに備え、手すりは、壁パネルの水平方向の略全長に渡って設けられ、水平かつ壁パネルに平行に設けられる。
【先行技術文献】
【特許文献】
【０００３】
【特許文献１】特開２０１６−９４７２６号公報
【発明の概要】
【発明が解決しようとする課題】
【０００４】
特許文献１に開示される手すりは一様に延びており、一般的である。本発明者らは、新たなコンセプトで一様な手すりとは形状の異なる新たな手すりを見出した。
【０００５】
本発明の目的は、新規な形状の浴室用の手すりを提供することにある。
【課題を解決するための手段】
【０００６】
上記課題を解決するために、本発明のある態様の手すりは、浴室壁部に設けられる手すりであって、浴槽側から洗い場側にかけて横向きに延在し、一部の高さが異なるように設けられる。
【０００７】
本発明の別の態様は、浴室ユニットである。この浴室ユニットは、浴室壁部に設けられる手すりを備える。手すりは、浴槽側から洗い場側にかけて横向きに延在し、一部の高さが異なるように設けられる。
【発明の効果】
【０００８】
本発明によれば、新規な形状の浴室用の手すりを提供できる。
【図面の簡単な説明】
【０００９】
【図１】実施例の浴室ユニットを示す斜視図である。
【図２】第１壁部を正面に見た浴室ユニットであり、第１実施例の手すりについて説明するための図である。
【図３】ユーザによる手すりの使用態様について説明するための図である。
【図４】第２実施例の手すりについて説明するための図である。
【図５】第３実施例の手すりについて説明するための図である。
【図６】浴室ユニットの平面図であり、第４実施例の手すりについて説明するための図である。
【図７】第５実施例の手すりについて説明するための図である。
【図８】第６実施例の手すりについて説明するための図である。
【図９】第７実施例の手すりについて説明するための図である。
【発明を実施するための形態】
【００１０】
図１は、実施例の浴室ユニット１を示す斜視図である。浴室ユニット１は、浴槽１０、洗い場１２、エプロン１４、浴室壁部１５、鏡１６、カウンター１８、手すり２０、棚２２、シャワーヘッド２４、水栓装置２８およびブラケット３０を備える。
【００１１】
浴槽１０は、平面視矩形状であって前後方向に長く、湯を溜めることができる深皿状である。洗い場１２は、浴槽１０に左右方向に隣り合う位置に設けられる。左右方向は、前後方向に直交する水平な方向である。前後方向は、例えば、ブラケット３０が平面視にて延在する方向でもある。また、前方は、浴室内から第１壁部１５ａに近づく方向であり、後方は、第１壁部１５ａから離れる方向である。
【００１２】
浴室ユニット１は、浴室空間を画定する複数の浴室壁部１５を備える。複数の浴室壁部１５は、浴室空間を前後左右から取り囲む。複数の浴室壁部１５には、浴槽１０および洗い場１２に渡って左右に延在する第１壁部１５ａが含まれる。エプロン１４は、浴槽１０の洗い場１２側の側面を覆い、浴槽１０の上縁部１１の下側に位置し、浴槽１０および洗い場１２の境界に位置する。
【００１３】
鏡１６は、浴室壁部１５の第１壁部１５ａに貼り付けられ、浴槽１０側から洗い場１２側に渡って左右方向に延在する。カウンター１８は、第１壁部１５ａの洗い場１２側の部分から水平に張り出すように平板状に設けられる。カウンター１８は、エプロン１４の上端とほぼ同じ高さに設けられる。
【００１４】
手すり２０は、複数のブラケット３０により第１壁部１５ａに固定される。手すり２０は、浴槽１０側および洗い場１２側に横たわって左右方向に延在し、鏡１６より下方で、エプロン１４およびカウンター１８より上方に位置する。手すり２０により、ユーザが浴槽１０と洗い場１２を行き来する際に把持してスムーズに移動できる。
【００１５】
手すり２０と第１壁部１５ａの間には、網状の棚２２が設けられる。棚２２は、せっけんやシャンプーなどの風呂用品の置き場として利用される。
【００１６】
スライドバー２６は、鏡１６の右側で、第１壁部１５ａの右端部に棒状に設けられ、上下方向に延在し、スライドバー２６にはシャワーヘッド２４を着脱可能に支持するフックが設けられる。水栓装置２８は、洗い場１２側の第１壁部１５ａに設けられ、カウンター１８の上方で手すり２０の下方に位置する。水栓装置２８は、シャワーヘッド２４から出る吐水流量を調節したり、温度を調節したりできる。
【００１７】
図２は、第１壁部１５ａを正面に見た浴室ユニット１であり、第１実施例の手すり２０について説明するための図である。浴槽１０の浴槽底部１０ａと洗い場１２の洗い場底部１２ａとは、高さが異なっており、洗い場底部１２ａが浴槽底部１０ａより高くなっている。
【００１８】
手すり２０は、浴槽１０側に位置する浴槽側手すり２０ａと、洗い場１２側に位置する洗い場側手すり２０ｂと、浴槽側手すり２０ａおよび洗い場側手すり２０ｂを連結する連結部２０ｃとを有する。
【００１９】
浴槽側手すり２０ａは、第１壁部１５ａの壁面に沿って左右方向に延在し、水平に設けられる。洗い場側手すり２０ｂは、第１壁部１５ａの壁面に沿って左右方向に延在し、水平に設けられる。洗い場側手すり２０ｂは、浴槽側手すり２０ａより高くなるように設けられる。洗い場側手すり２０ｂは、カウンター１８および水栓装置２８より上方に位置しており、洗い場側手すり２０ｂを高く配置することで、カウンター１８および水栓装置２８を配置する自由度を高めることができる。
【００２０】
連結部２０ｃは、第１壁部１５ａを正面側から見て浴槽１０のまたぎ箇所Ｂに位置し、浴槽側手すり２０ａの端部３２から洗い場側手すり２０ｂの端部３４に向かって立ち上がるように傾斜している。浴槽１０のまたぎ箇所Ｂは、浴槽１０および洗い場１２の間を行き来するときにまたぐ浴槽１０の一部をいい、浴槽１０の洗い場１２側の上縁部１１を含み、浴槽１０および洗い場１２の境界に位置して前後方向に延びる。
【００２１】
連結部２０ｃは、左右方向において、浴槽１０と上下方向に重なる位置にまで延在してよく、洗い場１２と上下方向に重なる位置にまで延在してよい。連結部２０ｃは浴槽側手すり２０ａより高くなるように設けられる。
【００２２】
図３は、ユーザによる手すり２０の使用態様について説明するための図である。ユーザが浴槽１０から洗い場１２へ、または洗い場１２から浴槽１０へ移動する際、手すり２０を把持することでまたぎ箇所Ｂをスムーズに乗り越えることができる。
【００２３】
浴槽底部１０ａと洗い場底部１２ａの高さに応じて、浴槽側手すり２０ａおよび洗い場側手すり２０ｂの高さが異なる。なお、手すり２０の高さは、洗い場底部１２ａからの高さであってよく、洗い場底部１２ａが排水溝に向かって微少に傾斜する場合には、洗い場底部１２ａの中央位置からの手すり２０の高さや、洗い場底部１２ａを水平に平均化した位置からの手すり２０の高さであってよい。なお、浴槽側手すり部２０ａの高さも洗い場側手すり部２０ｂの高さも洗い場底部１２ａを基準とした高さであってよい。図３に示す例では、洗い場底部１２ａが浴槽底部１０ａより高くなっており、洗い場側手すり２０ｂが浴槽側手すり２０ａより高くなっている。これにより、ユーザが浴槽底部１０ａまたは洗い場底部１２ａで立つ場合にそれぞれの底部から同じ高さの手すりに把持でき、浴室内の立ち位置によって手すり２０が手や肩の位置から遠ざかることを抑え、浴槽１０と洗い場１２を移動する際に把持しやすくできる。なお、浴槽底部１０ａが洗い場底部１２ａより高くなって、浴槽側手すり２０ａが洗い場側手すり２０ｂより高くなってもよい。
【００２４】
連結部２０ｃが浴槽側手すり２０ａより高くなっているため、浴槽１０から洗い場１２へ移動するためまたぎ箇所Ｂを乗り越える際に、連結部２０ｃをユーザの肩の位置に近づけて把持しやすくできる。
【００２５】
傾斜した連結部２０ｃにより浴槽側手すり２０ａおよび洗い場側手すり２０ｂの高さを異ならせることで、後述する図４に示す手すりより手すり２０の屈曲箇所を少なくでき、成形を容易にして製造コストを抑えることができる。洗い場側手すり２０ｂが浴槽側手すり２０ａより高く設定することで、ユーザがシャワー利用等で洗い場１２で立ち上がった状態で洗い場側手すり２０ｂを把持しやすくできる。また、洗い場側手すり２０ｂを高く設定することで、水栓装置２８の設置するスペースを確保でき、水栓装置２８を設ける高さの自由度が高まる。
【００２６】
手すり２０に浴槽側手すり２０ａより高くなる部分を設けることで、浴槽側手すり２０ａを相対的に低い位置に設けることでき、浴槽１０に座り込んだユーザが浴槽側手すり２０ａを把持しやすくなる。このように浴槽１０と洗い場１２でのユーザの動作に応じて、把持しやすい手すり２０の高さを設定できる。
【００２７】
このように、手すり２０が浴槽側手すり２０ａと洗い場側手すり２０ｂとで高さが異なるように設けられるため、ユーザが浴槽１０側と洗い場１２側とで異なる高さで把持でき、浴槽１０と洗い場１２で異なるユーザの動作に対応でき、手すり２０を使いやすくできる。
【００２８】
図４は、第２実施例の手すり２０について説明するための図である。第２実施例の手すり１２０は、図２に示す手すり２０と比べて、連結部１２０ｃの形状と、浴槽側手すり１２０ａおよび洗い場側手すり１２０ｂの高さの関係が異なる。
【００２９】
手すり１２０は、浴槽１０側に位置する浴槽側手すり１２０ａと、洗い場１２側に位置する洗い場側手すり１２０ｂと、浴槽側手すり１２０ａおよび洗い場側手すり１２０ｂを連結する連結部１２０ｃとを有する。
【００３０】
浴槽側手すり１２０ａおよび洗い場側手すり１２０ｂは、同じ高さに設定され、水平に延在する。連結部１２０ｃは、浴槽側手すり１２０ａおよび洗い場側手すり１２０ｂより高くなるように設けられる。連結部１２０ｃが高くなるように設けられることで、ユーザがまたぎ箇所Ｂを乗り越える際に、連結部１２０ｃを把持しやすくなる。連結部１２０ｃの両側には、傾斜部４０がそれぞれ設けられる。なお、傾斜部４０が鉛直に立設するように設けられてもよい。
【００３１】
連結部１２０ｃの一端３６は、浴槽１０と上下方向に重なる位置に設けられ、連結部１２０ｃの他端３８は、洗い場１２と上下方向に重なる位置に設けられる。連結部１２０ｃの他端３８は、洗い場１２と上下方向に重ならない位置に設けられてよい。なお、手すり１２０において、浴槽側手すり１２０ａと洗い場側手すり１２０ｂは、浴槽底部１０ａおよび洗い場底部１２ａの高さに応じて高さが異なるように設けられてよい。また、連結部１２０ｃは、略円弧状に湾曲してもよい。
【００３２】
図５は、第３実施例の手すり２２０について説明するための図である。第３実施例の手すり２２０は、浴槽１０側および洗い場１２側に横たわって左右方向に延在するものの、一体ではない点で、図２に示す手すり２０と異なる。
【００３３】
手すり２２０は、浴槽側手すり２２０ａと、浴槽側手すり２２０ａより高くなるように設けられた洗い場側手すり２２０ｂと、を有する。浴槽側手すり２２０ａおよび洗い場側手すり２２０ｂは、上下に分離しており、浴槽側手すり２２０ａの洗い場１２側の端部４８と、浴槽側手すり２２０ａの浴槽１０側の端部４６とは、左右方向において同じ位置にある。洗い場側手すり２２０ｂは、浴槽１０および洗い場１２の境界に交差している。
【００３４】
洗い場側手すり２２０ｂは、浴槽１０から遠い位置にある端末部４２を有し、洗い場側手すり２２０ｂの端末部４２は、他の洗い場側手すり２２０ｂより高くなるように設けられる。端末部４２は、前後方向においてシャワー用のスライドバー２６に重なる位置にある。これによりユーザが立ち上がってシャワーを利用する際に把持しやすくできる。
【００３５】
なお、洗い場側手すり２２０ｂの端末部４２は、他の洗い場側手すり２２０ｂより低くなるように設けられてよい。これにより、ユーザが洗い場１２にて座り込んだ状態から立ち上がろうとする際に端末部４２を把持しやすくできる。このように、洗い場側手すり２２０ｂの端末部４２は、他の洗い場側手すり２２０ｂに対して高さが異なるように設けられてよい。これにより、洗い場側手すり２２０ｂの高さを端末部４２で異ならせて、ユーザの動作に合った高さに洗い場側手すり２２０ｂを設けることができる。
【００３６】
図６は、浴室ユニット１の平面図であり、第４実施例の手すり３２０について説明するための図である。手すり３２０は、浴槽側手すり３２０ａと、浴槽側手すり３２０ａより第１壁部１５ａからの距離が遠くなるように設けられる洗い場側手すり３２０ｂと、浴槽側手すり３２０ａおよび洗い場側手すり３２０ｂを連結する連結部３２０ｃと、を有する。手すり３２０の第１壁部１５ａからの距離に応じてブラケット３０の前後方向の長さが適宜設定される。なお、手すり３２０の第１壁部１５ａからの距離は、第１壁部１５ａの基準位置から面直方向（前後方向）の間隔であってよく、第１壁部１５ａの基準位置は第１壁部１５ａの中央位置や、手すり３２０の高さでの第１壁部１５ａであってよい。
【００３７】
洗い場側手すり３２０ｂを浴槽側手すり３２０ａより第１壁部１５ａからの距離が遠くなるように設けることで、浴室内にいるユーザに洗い場側手すり３２０ｂを近づけて、ユーザが身体の近くで把持しやすくできる。洗い場側手すり３２０ｂは、浴槽側手すり３２０ａより第１壁部１５ａからの距離が遠くなるが、カウンター１８より第１壁部１５ａから離れる方向に出ないように設けられる。これにより、ユーザがカウンター１８の前で動作する際に、洗い場側手すり３２０ｂを干渉しにくくできる。なお、洗い場側手すり３２０ｂは、第１壁部１５ａからの距離がカウンター１８と同じであってもよい。
【００３８】
手すり３２０と第１壁部１５ａの間には、第１棚２２ａ、第２棚２２ｂおよび第３棚２２ｃが設けられる。第１棚２２ａ、第２棚２２ｂおよび第３棚２２ｃは、手すり３２０と第１壁部１５ａとの間隔に応じて載置面積が異なるように設けられる。洗い場側手すり３２０ｂ側に位置する第３棚２２ｃは、第１棚２２ａより載置面積が広くなっている。ユーザがカウンター１８前で身体を洗う際に使用する風呂用品を第３棚２２ｃに載置しやすくなる。
【００３９】
連結部３２０ｃは、浴槽側手すり３２０ａの洗い場１２側の端部５０から洗い場側手すり３２０ｂの浴槽１０側の端部５２に向かって第１壁部１５ａからの距離が遠くなり、第１壁部１５ａを正面側から見て浴槽１０のまたぎ箇所Ｂの上方の位置で浴槽側手すり３２０ａより第１壁部１５ａからの距離が遠くなっている。これにより、浴槽１０から洗い場１２に移動する際に、連結部３２０ｃが浴槽側手すり３２０ａよりユーザの身体の近くに位置するため把持しやすくなる。
【００４０】
浴槽側手すり３２０ａの端部５０は前後方向において浴槽１０と重なる位置に設けられてよく、洗い場側手すり３２０ｂの端部５２は、前後方向において洗い場１２と重なる位置に設けられてよい。つまり、連結部３２０ｃは、浴槽１０側から洗い場１２側に渡って設けられてよい。
【００４１】
連結部３２０ｃは、前後方向に平行、すなわち第１壁部１５ａに垂直な方向に平行に設けられてよい。その場合、洗い場側手すり３２０ｂは、第１壁部１５ａを正面側から見て浴槽１０のまたぎ箇所Ｂの上方を越えて端部５２がまたぎ箇所Ｂより浴槽１０側に位置してよい。
【００４２】
図７は、第５実施例の手すり４２０について説明するための図である。第５実施例の手すり４２０は、図６に示す手すり３２０と比べて、浴槽側手すり４２０ａおよび洗い場側手すり４２０ｂは第１壁部１５ａからの距離の関係が逆である。すなわち、浴槽側手すり４２０ａは、洗い場側手すり４２０ｂより第１壁部１５ａからの距離が遠くなるように設けられる。これにより、浴槽１０側で浴槽側手すり４２０ａがユーザの近くに設けられるので、浴槽１０に座り込んだユーザが把持しやすくなる。
【００４３】
連結部４２０ｃは、浴槽側手すり４２０ａの洗い場１２側の端部５４から洗い場側手すり４２０ｂの浴槽１０側の端部５６に向かって第１壁部１５ａに近づくように設けられる。連結部４２０ｃは、洗い場側手すり４２０ｂより第１壁部１５ａからの距離が遠くなるように設けられる。
【００４４】
図８は、第６実施例の手すり５２０について説明するための図である。第６実施例の手すり５２０は、第１壁部１５ａから同じ距離の手すり５２０および洗い場側手すり５２０ｂと、浴槽側手すり５２０ａおよび洗い場側手すり５２０ｂより第１壁部１５ａからの距離が遠くなる連結部５２０ｃと、を有する。
【００４５】
連結部５２０ｃは、浴槽側手すり５２０ａの洗い場１２側の端部５８と洗い場側手すり５２０ｂの浴槽１０側の端部６０に連結し、第１壁部１５ａを正面側から見て浴槽１０のまたぎ箇所Ｂの上方に位置する。手すり５２０の中央部分が他の部分より第１壁部１５ａから離れる方向に張り出すように設けられることで、ユーザがまたぎ箇所Ｂを乗り越える際に、身体の近くにある連結部５２０ｃを把持しやすくできる。
【００４６】
連結部５２０ｃは、カウンター１８の第１壁部１５ａからの張り出し量と略同じ距離だけ第１壁部１５ａから遠ざかるように設けられてよく、カウンター１８の張り出し量以下に設けられてよい。これにより、連結部５２０ｃをユーザに近づけるように設けつつ、洗い場１２の空間の障害にならないように設けることができる。
【００４７】
なお、浴槽側手すり５２０ａおよび洗い場側手すり５２０ｂが第１壁部１５ａから同じ距離である態様を示したが、この態様に限られず、浴槽側手すり５２０ａおよび洗い場側手すり５２０ｂの第１壁部１５ａからの距離が異なっていてもよい。いずれにしても、連結部５２０ｃは、浴槽側手すり５２０ａおよび洗い場側手すり５２０ｂより第１壁部１５ａからの距離が遠くなるように設けられる。
【００４８】
図９は、第７実施例の手すり６２０について説明するための図である。手すり６２０は、別体の浴槽側手すり６２０ａおよび洗い場側手すり６２０ｂを有する。洗い場側手すり６２０ｂは、第１壁部１５ａの壁面に平行に設けられる。
【００４９】
浴槽側手すり６２０ａは、浴槽１０の前端側に沿って湾曲しており、浴槽側手すり６２０ａの一端部６４および他端部６６が、浴槽側手すり６２０ａの中央６２より、第１壁部１５ａからの距離が遠くなるように設けられる。浴槽側手すり６２０ａは、中央６２から洗い場１２側に向かうにつれて第１壁部１５ａからの距離が遠くなり、中央６２から一端部６４に向かうにつれて第１壁部１５ａからの距離が遠くなる。これにより、浴槽１０にいるユーザが浴槽側手すり６２０ａを把持しやすくなる。
【００５０】
浴槽側手すり６２０ａの洗い場１２側の他端部６６は、洗い場側手すり６２０ｂの浴槽１０側の端部６８と左右方向において略同じ位置にあり、手すり６２０は、浴槽１０および洗い場１２に横たわって延在している。浴槽側手すり６２０ａの他端部６６は、第１壁部１５ａを正面側から見て浴槽１０のまたぎ箇所Ｂの上方に位置する。浴槽側手すり６２０ａは、洗い場１２側に向かって第１壁部１５ａからの距離が遠くなる。これにより、ユーザがまたぎ箇所Ｂを乗り越える際に浴槽側手すり６２０ａを把持しやすくできる。
【００５１】
なお実施例はあくまでも例示であり、各構成要素の組合せにいろいろな変形例が可能なこと、またそうした変形例も本発明の範囲にあることは当業者に理解されるところである。
【００５２】
例えば、第１実施例から第３実施例に、一部の高さが異なる手すりを示し、第４実施例から第７実施例ｂに第１壁部１５ａからの距離が一部で異なる手すりを示したが、これらは適宜組み合わせてもよい。例えば、図２に示す第１実施例の手すり２０と、図６に示す第４実施例の手すり３２０を組み合わせて、洗い場側手すりが、浴槽側手すりより高く設けられつつ、浴槽側手すりより第１壁部１５ａからの距離が遠くなるように設けてよい。
【００５３】
また、図４に示す第２実施例の手すり１２０と、図８に示す第６実施例の手すり５２０を組み合わせて、手すりの連結部を上方に立ち上げるとともに、第１壁部１５ａからの距離が遠くなるように設けてよい。このように、手すりの一部を高くしつつ、浴室内側に出すことで、ユーザに把持しやすくなるようにできる。
【００５４】
第２態様の手すりは第１態様において、前記手すりの前記浴槽側に位置する浴槽側手すり部と、前記手すりの前記洗い場側に位置する洗い場側手すり部と、を有し、前記洗い場と前記浴槽の底部の高さに応じて、前記浴槽側手すり部および前記洗い場側手すり部の高さが異なってよい。
これにより、ユーザが浴槽の底部または洗い場の底部で立つ場合にそれぞれの底部から同じ高さの手すりに把持でき、浴室内の立ち位置によって手すりが身体から遠ざかることを抑え、浴槽と洗い場を移動する際に把持しやすくできる。
【００５５】
第３態様の手すりは第１態様において、前記手すりの前記浴槽側に位置する浴槽側手すり部と、前記手すりの前記洗い場側に位置する洗い場側手すり部と、前記浴槽側手すり部および前記洗い場側手すり部を連結する連結部と、を有し、前記連結部は、前記浴槽側手すり部より高くなるように設けられてよい。
これにより、ユーザが浴槽のまたぎ箇所Ｂを乗り越える際に、連結部を高い位置に設けて把持しやすくできる。
【００５６】
第４態様の手すりは第１態様において、前記手すりの前記浴槽側に位置する浴槽側手すり部は、前記手すりの他の部分より低くてもよい。
これにより、浴槽側手すり部は低くなっているため、ユーザが浴槽に座った状態から浴槽側手すり部を把持しやすくできる。また、洗い場側手すり部や、浴槽と洗い場の境界に位置する手すりの高さを高くすることで、ユーザの動作に合わせて把持しやすい手すりの高さに設定できる。
【００５７】
第５態様の手すりは第１態様において、前記洗い場側に位置する洗い場側手すり部において、前記浴槽から遠い位置にある端部の高さが他の前記洗い場側手すり部に対して異なってもよい。
これにより、洗い場側手すり部の端部の高さを異ならせて、ユーザの動作に合った高さに洗い場側手すり部を提供できる。
【符号の説明】
【００５８】
１０  浴槽、  １２  洗い場、  １５  浴室壁部、  ２０  手すり、  ２０ａ  浴槽側手すり部、  ２０ｂ  洗い場側手すり部、  ２０ｃ  連結部。
【図１】
2020031997.tif 000003
【図２】
2020031997.tif 000004
【図３】
2020031997.tif 000005
【図４】
2020031997.tif 000006
【図５】
2020031997.tif 000007
【図６】
2020031997.tif 000008
【図７】
2020031997.tif 000009
【図８】
2020031997.tif 000010
【図９】
2020031997.tif 000011